(57)【要約】      （修正有）【課題】フリーサイズパレットで、保管に大きなスペースを必要としないという利点を享有しながら、簡易パレット部材を輸送用ケースに固定するために使用する固定部材による簡易パレット部材の固定状態を安定させることによって、簡易パレット部材が外力を受けても輸送用ケースの下面から離脱することがないようにした簡易パレット部材を提供すること。【解決手段】輸送用ケースの下面の内側に配置して用いられる簡易パレット部材１であって、輸送用ケースを載置する載置部１１と、載置部１１から一体に下方に突出させて設けた接地部１２とを備え、載置部１１に、簡易パレット部材１を輸送用ケースに固定するために使用する固定部材の係合部として、固定部材としての結束バンドを挿通することで、結束バンドを係合する孔部１３を形成する。【選択図】図１−１
2018193084.tif 000002
【特許請求の範囲】
【請求項１】
輸送用ケースを載置する載置部と、該載置部から一体に下方に突出させて設けた接地部とを備え、輸送用ケースの下面に配置して用いられる簡易パレット部材において、前記載置部に、簡易パレット部材を輸送用ケースに固定するために使用する固定部材の係合部を形成するようにしたこと特徴とする簡易パレット部材。
【請求項２】
前記固定部材の係合部が、簡易パレット部材を輸送用ケースに固定するために使用する結束バンドを挿通することで、該結束バンドを係合する孔部からなること特徴とする請求項１に記載の簡易パレット部材。
【請求項３】
前記固定部材の係合部が、簡易パレット部材を輸送用ケースに固定するために使用する結束バンドを掛け止めすることで、該結束バンドを係合する突起部からなること特徴とする請求項１に記載の簡易パレット部材。
【請求項４】
前記固定部材の係合部が、簡易パレット部材を輸送用ケースに固定するために使用する接合用ねじを係合する孔部からなること特徴とする請求項１に記載の簡易パレット部材。
【発明の詳細な説明】
【技術分野】
【０００１】
本発明は、コンテナ等の物品を積載面に載置して運搬や保管等するために使用されるパレット部材に関するものである。
【背景技術】
【０００２】
従来、コンテナ等の物品を積載面に載置して運搬や保管等するために合成樹脂製や木製のパレットが汎用されている（例えば、特許文献１参照。）。
ところで、従来のパレットは、フォークリフト等のフォーク（ツメ）が挿入可能な空間を設け、載置する物品の荷重に耐え得る強度を有する薄い箱状に形成されているため、大きさの異なる物品に対応するためには、大きさ（平面形状）が異なる複数種類のパレットを用意しなければならず、また、保管に大きなスペースを必要とするという問題があった。
【０００３】
ところで、この問題に対処できるものとして、本件出願人は、図５に示す、コンテナ等の物品（本明細書において、「輸送用ケース」という。）の下面の四隅、さらに必要に応じて、中央部に配置して用いられる簡易パレット（商品名「ＹＰプロテイナー」（登録商標））を製造、販売している。
この簡易パレットは、輸送用ケースＷの下面の四隅に配置して用いられる簡易パレット部材１０１と、補助的に下面の内側（中央部）に配置して用いられる簡易パレット部材１０２とからなり、輸送用ケースＷの下面の四隅と中央部とにそれぞれ配置し、例えば、結束バンドＢで固定したり、両面粘着テープで接着、固定したり、あるいは、両者を併用することによって、輸送用ケースＷ自体をパレットとして扱えるように、すなわち、簡易パレット部材１０１（簡易パレット部材１０２）の間にフォークリフト等のフォーク（ツメ）が挿入可能な空間を設けるようにするものである。
そして、この簡易パレットは、輸送用ケースＷの大きさ（平面形状）に制約を受けないため、大きさの異なる輸送用ケースＷにも対応できるという利点を有するもの、すなわち、フリーサイズパレットであり、また、保管に大きなスペースを必要としないという利点を有するものである。
【先行技術文献】
【特許文献】
【０００４】
【特許文献１】特開２０１１−７９５３０号公報
【発明の概要】
【発明が解決しようとする課題】
【０００５】
このように、上記簡易パレットは、フリーサイズパレットで、保管に大きなスペースを必要としないという利点を有する反面、簡易パレット部材同士が分離して輸送用ケースの下面に配置して用いられるため、簡易パレット部材の固定状態が安定せず、外力を受けることによって輸送用ケースの下面から離脱することがあるという問題があった。
【０００６】
本発明は、上記簡易パレットの有する問題点に鑑み、フリーサイズパレットで、保管に大きなスペースを必要としないという利点を享有しながら、簡易パレット部材を輸送用ケースに固定するために使用する固定部材による簡易パレット部材の固定状態を安定させることによって、簡易パレット部材が外力を受けても輸送用ケースの下面から離脱することがないようにした簡易パレット部材を提供することを目的とする。
【課題を解決するための手段】
【０００７】
上記目的を達成するため、本発明の簡易パレット部材は、輸送用ケースを載置する載置部と、該載置部から一体に下方に突出させて設けた接地部とを備え、輸送用ケースの下面に配置して用いられる簡易パレット部材において、前記載置部に、簡易パレット部材を輸送用ケースに固定するために使用する固定部材の係合部を形成するようにしたこと特徴とする。
【０００８】
この場合において、前記固定部材の係合部を、簡易パレット部材を輸送用ケースに固定するために使用する結束バンドを挿通することで、該結束バンドを係合する孔部から構成することができる。
【０００９】
また、前記固定部材の係合部を、簡易パレット部材を輸送用ケースに固定するために使用する結束バンドを掛け止めすることで、該結束バンドを係合する突起部から構成することができる。
【００１０】
前記固定部材の係合部を、簡易パレット部材を輸送用ケースに固定するために使用する接合用ねじを係合する孔部から構成することができる。
【発明の効果】
【００１１】
本発明の簡易パレット部材によれば、輸送用ケースを載置する載置部と、該載置部から一体に下方に突出させて設けた接地部とを備え、輸送用ケースの下面に配置して用いられる簡易パレット部材において、前記載置部に、簡易パレット部材を輸送用ケースに固定するために使用する固定部材の係合部を形成するようにすることにより、簡易パレット部材同士が分離して輸送用ケースの下面に配置して用いられるフリーサイズパレットで、保管に大きなスペースを必要としないという利点を享有しながら、簡易パレット部材を輸送用ケースに固定するために使用する固定部材による簡易パレット部材の固定状態を安定させることができ、簡易パレット部材が外力を受けても輸送用ケースの下面から離脱することがないようにすることができる。
【図面の簡単な説明】
【００１２】
【図１−１】本発明の輸送用ケースの下面の内側に配置して用いられる簡易パレット部材の第１実施例を示す外観斜視図である。
【図１−２】同簡易パレット部材の平面図である。
【図１−３】同簡易パレット部材の正面図である。
【図１−４】同簡易パレット部材の底面図である。
【図１−５】同簡易パレット部材の図１−２のＡ−Ａ断面図である。
【図１−６】同簡易パレット部材の要部の拡大図である。
【図２−１】本発明の輸送用ケースの下面の内側に配置して用いられる簡易パレット部材の第２実施例を示す外観斜視図である。
【図２−２】同簡易パレット部材の平面図である。
【図２−３】同簡易パレット部材の図２−２のＣ−Ｃ断面図である。
【図３−１】本発明の輸送用ケースの下面の内側に配置して用いられる簡易パレット部材の第３実施例を示す外観斜視図である。
【図３−２】同簡易パレット部材の平面図である。
【図３−３】同簡易パレット部材の正面図である。
【図３−４】同簡易パレット部材の底面図である。
【図３−５】同簡易パレット部材の図３−２のＡ−Ａ断面図である。
【図４−１】本発明の輸送用ケースの下面の縁部に配置して用いられる簡易パレット部材の一実施例を示す斜め上方からの外観斜視図である。
【図４−２】同簡易パレット部材の斜め下方からの外観斜視図である。
【図４−３】同簡易パレット部材の平面図である。
【図４−４】同簡易パレット部材の正面図である。
【図４−５】同簡易パレット部材の底面図である。
【図４−６】同簡易パレット部材の側面図である。
【図５】従来の簡易パレットを示し、（ａ）はその使用例の斜視図、（ｂ）は輸送用ケースの下面の四隅に配置して用いられる簡易パレット部材の斜視図、（ｃ）は輸送用ケースの中央部に配置して用いられる簡易パレット部材の斜視図である。
【発明を実施するための形態】
【００１３】
以下、本発明の簡易パレット部材の実施の形態を、図面に基づいて説明する。
【００１４】
図１−１〜図１−６に、本発明の輸送用ケースの下面の内側に配置して用いられる簡易パレット部材の第１実施例を示す。
この簡易パレット部材１は、図５に示す従来の簡易パレットと同様、輸送用ケースＷ（図１−１〜図１−６では図示省略。）の下面の内側（例えば、中央部に１箇所又は複数箇所。）に配置して用いられるもので、輸送用ケースを載置する載置部１１と、載置部１１から一体に下方に突出させて設けた接地部１２とを備え、載置部１１に、簡易パレット部材１を輸送用ケースに固定するために使用する固定部材の係合部として、固定部材としての結束バンドＢ（図１−１〜図１−６では図示省略。）を挿通することで、結束バンドＢを係合する孔部１３を形成するようにしている。
【００１５】
簡易パレット部材１は、ポリプロピレン樹脂、塩化ビニル樹脂等の適宜の合成樹脂を用いてそれぞれ一体成形で製造される。
【００１６】
簡易パレット部材１の載置部１１に形成する孔部１３は、結束バンドＢをクロスして挿通、係合することができるように、載置部１１の接地部１２との縁に沿って、等角度間隔に４箇所、スリット状の孔を形成するようにする。
また、輸送用ケースが当接する孔部１３の内周側の載置部１１と接地部１２の境界面には、結束バンドＢが収容される溝部１４を形成するようにする。これにより、孔部１３に挿通した結束バンドＢを、載置部１１から突出することなく、収容することができる。
なお、結束バンドＢには、汎用の結束バンドを用いることができ、例えば、ＰＥＴ樹脂製の帯状の結束バンドを好適に用いることができる。
【００１７】
簡易パレット部材１の接地部１２は、補強のためのリブ１２ａを備えるとともに、接地状態を安定させるために、底面に滑り止めの凹凸部１２ｂや窪み１２ｃを形成するようにする。
【００１８】
そして、この簡易パレット部材１は、図５に示す従来の簡易パレットと同様、簡易パレット部材１を輸送用ケースＷの下面の内側（例えば、中央部に１箇所又は複数箇所。）に配置し（この場合、輸送用ケースＷの下面の四隅に配置する簡易パレット部材を併用する。）、結束バンドＢで固定する（この場合、さらに、載置部１１に両面粘着テープを配して、輸送用ケースＷの下面も接着、固定することもできる。）によって、輸送用ケース自体をパレットとして扱えるように、すなわち、簡易パレット部材の間にフォークリフト等のフォーク（ツメ）が挿入可能な空間を設けるようにして用いられる。
【００１９】
これにより、この簡易パレット部材１によれば、簡易パレット部材１の載置部１１に、簡易パレット部材１を輸送用ケースに固定するために使用する固定部材の係合部として、固定部材としての結束バンドＢを挿通することで、結束バンドＢを係合する孔部１３を形成するようにすることにより、簡易パレット部材同士が分離して輸送用ケースＷの下面に配置して用いられるフリーサイズパレットで、保管に大きなスペースを必要としないという利点を享有しながら、簡易パレット部材１を輸送用ケースＷに固定するために使用する固定部材による簡易パレット部材１の固定状態を安定させることができ、簡易パレット部材１が外力を受けても輸送用ケースＷの下面から離脱することがないようにすることができる。
【００２０】
図２−１〜図２−３に、本発明の輸送用ケースの下面の内側に配置して用いられる簡易パレット部材の第２実施例を示す。
この簡易パレット部材１は、上記第１実施例の簡易パレット部材１と同様、輸送用ケースＷ（図２−１〜図２−３では図示省略。）の下面の内側（例えば、中央部に１箇所又は複数箇所。）に配置して用いられるもので、輸送用ケースを載置する載置部１１と、載置部１１から一体に下方に突出させて設けた接地部１２とを備え、載置部１１に、簡易パレット部材１を輸送用ケースに固定するために使用する固定部材の係合部として、固定部材としての結束バンドＢ（図２−１〜図２−３では図示省略。）を挿通することで、結束バンドＢを係合する孔部１３を形成するようにしている。
【００２１】
そして、本実施例の簡易パレット部材１は、載置部１１に、簡易パレット部材１を輸送用ケースに固定するために使用する固定部材の係合部として、さらに、固定部材としての接合用ねじＳを係合する孔部１５を形成するようにしている。
【００２２】
簡易パレット部材１の載置部１１に形成する孔部１５は、接合用ねじＳを挿通、係合することができるように、載置部１１の中間部に、等角度間隔に２箇所（又は３箇所以上の複数箇所）、丸孔を形成するようにする。
なお、接合用ねじＳには、汎用の接合用ねじを用いることができ、例えば、合成樹脂製の接合用ねじ、より具体的には、浅川組運輸社製の「エムネジ」（登録商標）を好適に用いることができる。
【００２３】
この場合、載置部１１に簡易パレット部材１を輸送用ケースに固定するために使用する固定部材の係合部として形成する孔部１３は、省略することもできる。
【００２４】
なお、本実施例の簡易パレット部材１のその他の構成及び作用は、上記第１実施例の簡易パレット部材１と同様である。
【００２５】
図３−１〜図３−５に、本発明の輸送用ケースの下面の内側に配置して用いられる簡易パレット部材の第３実施例を示す。
この簡易パレット部材１は、上記第２実施例の簡易パレット部材１と同様、輸送用ケースＷ（図３−１〜図３−５では図示省略。）の下面の内側（例えば、中央部に１箇所又は複数箇所。）に配置して用いられるもので、輸送用ケースを載置する載置部１１と、載置部１１から一体に下方に突出させて設けた接地部１２とを備え、載置部１１に、簡易パレット部材１を輸送用ケースに固定するために使用する固定部材の係合部として、固定部材としての接合用ねじＳを係合する孔部１５を形成するようにしている。
【００２６】
そして、本実施例の簡易パレット部材１は、載置部１１に、簡易パレット部材１を輸送用ケースに固定するために使用する固定部材の係合部として、さらに、固定部材としての結束バンドＢ（図３−１〜図３−５では図示省略。）を係合する突起部１６を形成するようにしている。
【００２７】
簡易パレット部材１の載置部１１に形成する突起部１６は、結束バンドＢが載置部１１の下面からずれて外れないように、載置部１１の下面の周縁に沿って、１箇所（又は２箇所以上の複数箇所）、突出させて形成するようにする。
なお、結束バンドＢには、汎用の結束バンドを用いることができ、例えば、ＰＥＴ樹脂製の帯状の結束バンドを好適に用いることができる。
【００２８】
この場合、載置部１１に簡易パレット部材１を輸送用ケースに固定するために使用する固定部材の係合部として形成する孔部１５は、省略することもできる。
【００２９】
なお、本実施例の簡易パレット部材１のその他の構成及び作用は、上記第１実施例及び第２実施例の簡易パレット部材１と同様である。
【００３０】
図４−１〜図４−６に、本発明の輸送用ケースの下面の内側に配置して用いられる簡易パレット部材の一実施例を示す。
この簡易パレット部材２は、図５に示すような輸送用ケースＷ（図４−１〜図４−６では図示省略。）の下面の縁部に配置して用いられるもので、輸送用ケースを載置する載置部２１と、載置部２１から一体に下方に突出させて設けた接地部２２と、載置部２１の載置面の外側縁から立ち上げた立壁２７とを備え、載置部２１に、簡易パレット部材２を輸送用ケースに固定するために使用する固定部材の係合部として、固定部材としての結束バンドＢ（図４−１〜図４−６では図示省略。）を挿通することで、結束バンドＢを係合する孔部２３を形成するようにしている。
【００３１】
簡易パレット部材２は、ポリプロピレン樹脂、塩化ビニル樹脂等の適宜の合成樹脂を用いてそれぞれ一体成形で製造される。
【００３２】
簡易パレット部材１の載置部１１に形成する孔部２３は、結束バンドＢをクロスして挿通、係合することができるように、載置部２１の接地部２２との縁に沿って、等角度間隔に４箇所、スリット状の孔を形成するようにする。
また、輸送用ケースが当接する孔部２３の内周側の載置部２１と接地部２２の境界面には、結束バンドＢが収容される溝部２４を形成するようにする。これにより、孔部２３に挿通した結束バンドＢを、載置部２１から突出することなく、収容することができる。
なお、結束バンドＢには、汎用の結束バンドを用いることができ、例えば、ＰＥＴ樹脂製の帯状の結束バンドを好適に用いることができる。
【００３３】
簡易パレット部材２の接地部２２は、必要に応じて、補強のためのリブ（図示省略）を備えるとともに、接地状態を安定させるために、底面に滑り止めの凹凸部２２ｂや窪み２２ｃを形成するようにする。
【００３４】
そして、この簡易パレット部材２は、簡易パレット部材２を輸送用ケースＷの下面の縁部（例えば、中央部に１箇所又は複数箇所。）に配置し（この場合、輸送用ケースＷの下面の四隅に配置する簡易パレット部材や、さらに必要に応じて、上記簡易パレット部材１を併用する。）、結束バンドＢで固定する（この場合、さらに、載置部１１に両面粘着テープを配して、輸送用ケースＷの下面も接着、固定することもできる。）によって、輸送用ケース自体をパレットとして扱えるように、すなわち、簡易パレット部材の間にフォークリフト等のフォーク（ツメ）が挿入可能な空間を設けるようにして用いられる。
【００３５】
これにより、この簡易パレット部材２によれば、簡易パレット部材２の載置部２１に、簡易パレット部材２を輸送用ケースに固定するために使用する固定部材の係合部として、固定部材としての結束バンドＢを挿通することで、結束バンドＢを係合する孔部２３を形成するようにすることにより、簡易パレット部材同士が分離して輸送用ケースＷの下面に配置して用いられるフリーサイズパレットで、保管に大きなスペースを必要としないという利点を享有しながら、簡易パレット部材２を輸送用ケースＷに固定するために使用する固定部材による簡易パレット部材２の固定状態を安定させることができ、簡易パレット部材２が外力を受けても輸送用ケースＷの下面から離脱することがないようにすることができる。
【００３６】
以上、本発明の簡易パレット部材について、輸送用ケースの下面の内側及び縁部に配置して用いられる簡易パレット部材の実施例に基づいて説明したが、本発明は上記実施例に記載した構成に限定されるものではなく、各実施例に記載した構成を適宜組み合わせたり、さらに、図５に示す輸送用ケースの下面の四隅に配置して用いられる簡易パレット部材にも適用できる等、その趣旨を逸脱しない範囲において適宜その構成を変更することができるものである。
【産業上の利用可能性】
【００３７】
本発明の簡易パレット部材は、フリーサイズパレットで、保管に大きなスペースを必要としないという利点を享有しながら、簡易パレット部材を輸送用ケースに固定するために使用する固定部材による簡易パレット部材の固定状態を安定させることによって、簡易パレット部材が外力を受けても輸送用ケースの下面から離脱することがないという特性を有していることから、フリーサイズパレットの用途に好適に用いることができる。
【符号の説明】
【００３８】
１  簡易パレット部材
１１  載置部
１２  接地部
１３  孔部
１４  溝部
１５  孔部
１６  突起部
２  簡易パレット部材
２１  載置部
２２  接地部
２３  孔部
２４  溝部
２７  立壁
Ｂ  結束バンド
Ｓ  接合用ねじ
Ｗ  輸送用ケース
【図１−１】
2018193084.tif 000003
【図１−２】
2018193084.tif 000004
【図１−３】
2018193084.tif 000005
【図１−４】
2018193084.tif 000006
【図１−５】
2018193084.tif 000007
【図１−６】
2018193084.tif 000008
【図２−１】
2018193084.tif 000009
【図２−２】
2018193084.tif 000010
【図２−３】
2018193084.tif 000011
【図３−１】
2018193084.tif 000012
【図３−２】
2018193084.tif 000013
【図３−３】
2018193084.tif 000014
【図３−４】
2018193084.tif 000015
【図３−５】
2018193084.tif 000016
【図４−１】
2018193084.tif 000017
【図４−２】
2018193084.tif 000018
【図４−３】
2018193084.tif 000019
【図４−４】
2018193084.tif 000020
【図４−５】
2018193084.tif 000021
【図４−６】
2018193084.tif 000022
【図５】
2018193084.tif 000023